(57)【要約】【課題】容易に移設することができ耐久性にも優れた仮設堰堤を提供する。【解決手段】最終処分場において、無機廃棄物を含む盛土材を埋め立てる空間を確保するための仮設堰堤であって、上部が開口した枠体の内部にコンクリート１０が充填された筐体本体１と、筐体本体１の天井面の少なくとも四隅を覆うように設けられた基礎板２と、基礎板２を介して筐体本体１の天井面に対角線を長手方向として相対向して取り付けられたリブ３と、筐体本体１を吊るすためリブ３に形成された懸吊部材係止部４とを備える。【選択図】図１
0003178695.tif 000002
【実用新案登録請求の範囲】
【請求項１】
最終処分場において、無機廃棄物を含む盛土材を埋め立てる空間を確保するための仮設堰堤であって、
上部が開口した枠体の内部にコンクリートが充填された筐体本体と、
前記筐体本体の天井面の少なくとも四隅を覆うように設けられた基礎板と、
前記基礎板を介して前記筐体本体の天井面に対角線を長手方向として相対向して取り付けられたリブと、
前記筐体本体を吊るすため前記リブに形成された懸吊部材係止部と
を備えることを特徴とする仮設堰堤。
【請求項２】
請求項１記載の仮設堰堤において、
前記基礎板は、前記筐体本体の枠体に接続されると共に、前記コンクリートに埋設された複数のアンカーボルトにより固定されることを特徴とする仮設堰堤。
【考案の詳細な説明】
【技術分野】
【０００１】
本考案は、最終処分場において、無機廃棄物を含む盛土材を埋め立てる空間を確保するための仮設堰堤に関する。
【背景技術】
【０００２】
従来、この種の仮設堰堤としては、下記特許文献１に示すように、コンクリート製の筐体の表面を金属製またはガラス繊維製の補強材で補強したものが知られている。
【先行技術文献】
【特許文献】
【０００３】
【特許文献１】実開昭５０−８３００７号公報
【考案の概要】
【考案が解決しようとする課題】
【０００４】
しかしながら、かかる従来の仮設堰堤では、コンクリートの重量により仮設堰堤全体の重量が大きいにも拘らず、これを移設するための構成を有しないことから、仮設堰堤の設置および撤去が困難であるという問題があった。
【０００５】
一方で、仮設堰堤を吊るすために、筐体のコンクリートにアンカーを埋設することも考えられるが、仮設堰堤の重量にアンカーが耐えられずに破損してしまい現実的でない。
【０００６】
以上の事情に鑑みて、本考案は、容易に移設することができ耐久性にも優れた仮設堰堤を提供することを目的とする。
【課題を解決するための手段】
【０００７】
上記目的を達成するために、第１考案は、最終処分場において、無機廃棄物を含む盛土材を埋め立てる空間を確保するための仮設堰堤であって、上部が開口した枠体の内部にコンクリートが充填された筐体本体と、前記筐体本体の天井面の少なくとも四隅を覆うように設けられた基礎板と、前記基礎板を介して前記筐体本体の天井面に対角線を長手方向として相対向して取り付けられたリブと、前記筐体本体を吊るすため前記リブに形成された懸吊部材係止部とを備えることを特徴とする。
【０００８】
第１考案の仮設堰堤によれば、筐体本体を吊るすための懸吊部材係止部がリブに形成されている。そのため、懸吊部材係止部により、仮設堰堤を吊るすことが可能となり、仮設堰堤の設置および撤去を容易に行うことができる。
【０００９】
このとき、リブは、筐体本体の天井面に対角線を長手方向として取り付けられるため、リブの長さを長くすることができ、仮設堰堤を吊るした際に掛かる荷重を長手方向全体に分散させることができる。
【００１０】
さらに、リブは、筐体本体の天井面の少なくとも四隅を覆うように設けられた基礎板に取り付けられることから、仮設堰堤を吊るした際に掛かる荷重を、基礎板を介して天井面の四隅全体に分散させることができる。これにより、仮設堰堤を移設する際にその重量にリブが耐えられずに破損してしまうことを回避することができる。
【００１１】
このように、第１考案によれば、容易に移設することができ耐久性にも優れた仮設堰堤を提供することができる。
【００１２】
第２考案の仮設堰堤は、第１考案において、前記基礎板は、前記筐体本体の枠体に接続されると共に、前記コンクリートに埋設された複数のアンカーボルトにより固定されることを特徴とする。
【００１３】
第２考案の仮設堰堤によれば、基礎板を筐体本体の枠体に接続すると共に、コンクリートに埋設された複数のアンカーボルトにより固定することで、仮設堰堤を移設する際に基礎板が筐体本体から剥離することを防止することができる。
【００１４】
このように、第２考案の仮設堰堤によれば、移設時の耐久性をさらに向上させることができる。
【図面の簡単な説明】
【００１５】
【図１】本実施形態の仮設堰堤を示す斜視図。
【図２】図１に示す仮設堰堤をＩＩ−ＩＩ線で切断した断面図。
【図３】図１の仮設堰堤の平面図。
【図４】図１の仮設堰堤の変更例を示す斜視図。
【図５】図１の仮設堰堤の他の変更例を示す斜視図。
【考案を実施するための形態】
【００１６】
本考案の一実施形態としての仮設堰堤について、図１〜図３を参照して説明する。
【００１７】
まず、図１を参照して、本実施形態の仮設堰堤の概要について説明する。
【００１８】
仮設堰堤は、一定の平面的な広がりのある最終処分場において、その内部を仕切るために用いられる。すなわち、仮設堰堤により仕切られた区画内に、無機廃棄物を含む盛土材を投入してこれを締め固めて圧密成形をする際に用いられ、圧密成形後には移設されて、次の区画を仕切るために用いられる。
【００１９】
かかる仮設堰堤は、筐体本体１と、筐体本体１の天井面の少なくとも四隅を覆うように設けられた基礎板２と、リブ３と、懸吊部材係止部４とを備える。
【００２０】
図２に示すように、筐体本体１は、上部が開口した長形の金属製の枠体の内部にコンクリート１０が充填された構造となっている。具体的に、筐体本体１は、底壁１１および４つの側壁１２からなる直方体の箱体（縦１．３ｍ、横４ｍ、高さ１．３ｍ）の内部にコンクリート１０が充填されている。
【００２１】
なお、筐体本体１の内部全体には、鉄製の格子１３が予め納められており、この状態でコンクリート１０を充填することで、コンクリート１０の一体性が高められている。
【００２２】
基礎板２は、筐体本体１の天井面の長手方向において、その両側にそれぞれ設けられた金属製の板体である。具体的に、基礎板２は、筐体本体１の側壁１２に囲まれるように、筐体本体１の内部にやや沈んだ位置で、当接する側壁１２と溶接により接合されている。
【００２３】
さらに、基礎板２は、筐体本体１との一体性を高めるため、コンクリート１０に埋設された複数のアンカーボルト２０により固定される。
【００２４】
なお、本実施形態において、基礎板２は、それぞれ筐体本体１に予め取り付けられており、２つの基礎板の間から筐体本体１の内部にコンクリート１０が充填されることにより基礎板２が、筐体本体１の天井面においてその四隅を覆う形態となる。
【００２５】
そのため、本実施形態では、筐体本体１の内部にコンクリート１０が充填されて固化した後に、基礎板２に穴を開けてケミカルアンカをアンカーボルト２０としてコンクリートに打ち込み、基礎板２と筐体本体１との一体性を高めている。
【００２６】
ここで、アンカーボルト２０の固定位置は、基礎板２の筐体本体１からの剥離を防止するように、筐体本体１の天井面においてその四隅から離れた位置、すなわち、２つの基礎板２が隣接する側の中央位置となっている。四隅側は、基礎板２と筐体本体１の側壁１２が溶接により接合されており、比較的高い剥離強度を有するためである。
【００２７】
リブ３は、基礎板に立設された金属製の厚板であって、図３に示すように、筐体本体１の天井面に対角線を長手方向としてそれぞれ相対向して２対、すなわち、合計４つ取り付けられている。
【００２８】
さらに、リブ３には、これを貫くように懸吊部材係止部４としての貫通孔が設けられており、当該仮設堰堤を吊るすための懸吊部材が係合可能となっている。
【００２９】
以上のように構成された仮設堰堤によれば、懸吊部材係止部４としての貫通孔により、仮設堰堤を吊るすことが可能となり、仮設堰堤の設置および撤去を容易に行うことができる。
【００３０】
このとき、リブ３は、筐体本体１の天井面に対角線を長手方向として取り付けられるため、リブ３の長さを長くすることができ、仮設堰堤を吊るした際に掛かる荷重を長手方向全体に分散させることができる。さらに、リブ３は、基礎板２に取り付けられているため、仮設堰堤を吊るした際に掛かる荷重を、基礎板２を介して筐体本体１の天井面の長手方向の両側全体に分散させることができる。
【００３１】
加えて、基礎板２を筐体本体１の側壁１２に接合すると共に、コンクリート１０に埋設された複数のアンカーボルト２０により固定することで、仮設堰堤を移設する際に基礎板２が筐体本体１から剥離することを防止することができる。
【００３２】
これにより、仮設堰堤を移設する際にその重量にリブ３が耐えられずに破損してしまうことを回避することができ、容易に移設することができ耐久性にも優れた仮設堰堤を提供することができる。
【００３３】
なお、本実施形態において、仮設堰堤を大型化する場合には、筐体本体１をその長手方向に拡張することが望ましい。長手方向の側壁１２を利用して、最終処分場における区画割を行うため、種々の長さの仮設堰堤を準備することで所望の区画に区画割を行うことが可能になるためである。
【００３４】
具体的には、図４および図５に示すように、筐体本体１をその長手方向に拡張することができる。図４の仮設堰堤は、縦および高さは、図１の仮設堰堤と同じ１．３ｍであるが、横幅が５ｍとなっている。図５の仮設堰堤は、縦および高さは、図１の仮設堰堤と同じ１．３ｍであるが、横幅が８ｍとなっている。
【００３５】
このとき、かかる拡張に合わせて、基礎板２により覆われる筐体本体１の天井面の面積を増大させることが好ましい。さらに、これに応じて、リブ３の取り付け位置も筐体本体１の重心位置に近づけることが好ましい。仮設堰堤を吊るした際の安定性を高めるためである。
【００３６】
ここで、図４の仮設堰堤に対して、筐体本体１をその長手方向にさらに拡張させた図５の仮設堰堤では、基礎板２により覆われる筐体本体１の天井面の面積を増大させると共に、アンカーボルト２０の本数およびリブ３の長さも増大させることが好ましい。筐体本体１の重量の増加に伴い、仮設堰堤を吊るした際の、基礎板２の剥離およびリブ３の破損や基礎板２からの脱落を防止するためである。
【００３７】
なお、本実施形態では、基礎板２は、筐体本体１の天井面において、その長手方向の両側全体を覆うように設けたが、仮設堰堤を小型化した場合には、基礎板２を筐体本体１の天井面の四隅にのみ設けるようにしてもよい。
【符号の説明】
【００３８】
１…筐体本体、２…基礎板、３…リブ、４…貫通孔（懸吊部材係止部）、１０…コンクリート、１１…底壁（枠体）、１２…側壁（枠体）、２０…アンカーボルト。
【図１】
0003178695.tif 000003
【図３】
0003178695.tif 000004
【図４】
0003178695.tif 000005
【図５】
0003178695.tif 000006
【図２】
0003178695.tif 000007